(57)【要約】【課題】歩行支援装置用の装着具としても使用可能な機能を備えるとともに、日常的に着用可能で、使用への抵抗感を少なくしたズボンを提供する。【解決手段】本発明に係るズボン１は、伸び率の異なる複数種の生地が縫い合わされて人の腰から脚部にかけて左右の脚部を別々に覆う形状に構成されたズボン本体部２と、ズボン本体部と歩行支援装置とを連結するための連結手段とを備え、ズボン本体部は、歩行支援装置の支持力を連結手段を介して人の下半身に伝達する力伝達部位（尻下覆い部２５）の生地が、その他の部位の生地よりも伸び率の小さい生地で形成され、連結手段（後側の紐通し穴付き縦ベルト部３２）は、ズボン本体部のその他の部位の生地よりも伸び率の小さい生地で形成されて力伝達部位に繋がるようにズボン本体部に取付けられたことを特徴とする。【選択図】図１
2019056184.tif 000002
【特許請求の範囲】
【請求項１】
伸び率の異なる複数種の生地が縫い合わされて人の腰から脚部にかけて左右の脚部を別々に覆う形状に構成されたズボン本体部と、
ズボン本体部と歩行支援装置とを連結するための連結手段とを備え、
ズボン本体部は、歩行支援装置の支持力を連結手段を介して人の下半身に伝達する力伝達部位の生地が、その他の部位の生地よりも伸び率の小さい生地で形成され、
連結手段は、ズボン本体部のその他の部位の生地よりも伸び率の小さい生地で形成されて力伝達部位に繋がるようにズボン本体部に取付けられたことを特徴とするズボン。
【請求項２】
力伝達部位が、尻下覆い部であり、
連結手段が、ズボン本体部の左側部にズボン本体部の長さ方向に延長するようにズボン本体部及び尻下覆い部の左端側に縫い付けられた左側帯状体と、ズボン本体部の右側部にズボン本体部の長さ方向に延長するようにズボン本体部及び尻下覆い部の右端側に縫い付けられた右側帯状体とを備えたことを特徴とする請求項１に記載のズボン。
【請求項３】
ズボン本体部の下腹覆い部及び脚回り部が、ズボン本体部の長さ方向と直交する横方向に伸縮しやすい生地により形成され、かつ、ズボン本体部の尻覆い部が、ズボン本体部の長さ方向に沿った縦方向に伸縮しやすい生地により形成されたことを特徴とする請求項１又は請求項２に記載のズボン。
【請求項４】
ズボン本体部を穿いた人の腿回りを締め付けるための締付力を調整可能な締付力調整手段を備えたことを特徴とする請求項１乃至請求項３のいずれか一項に記載のズボン。
【請求項５】
締付力調整手段は、ズボン本体部の左側部においてズボン本体部の脚回り部の周方向に所定間隔を隔てて設けられた一対の紐通し穴付き縦ベルト部と、ズボン本体部の右側部においてズボン本体部の脚回り部の周方向に所定間隔を隔てて設けられた一対の紐通し穴付き縦ベルト部と、一対の紐通し穴付き縦ベルト部の紐通し穴に通された紐と、一対の紐通し穴付き縦ベルト部の紐通し穴に通された紐の両端側を固定する紐固定具とを備えて構成され、
連結手段は、一対の紐通し穴付き縦ベルト部のうちのいずれか一方により構成されたことを特徴とする請求項４に記載のズボン。
【発明の詳細な説明】
【技術分野】
【０００１】
本発明は、歩行支援装置用の装着具としても使用可能な機能を備えたズボンに関する。
【背景技術】
【０００２】
歩行支援装置の一例としての体重免荷式の歩行支援装置は、例えば図５に示すように、キャスター(車輪）９９を備えたベースフレーム１００より立ち上がる左右の支柱１０１，１０１の上端にヒンジ１０２を介してＵ字状の支持テーブル１０３が揺動可能に設けられており、支持テーブル１０３の前端部の下面には機構吊下げ点１０４が設けられ、支持テーブル１０３の後端部の左右の下面にはそれぞれ人体吊下げ点１０５，１０５が設けられているとともに、体重免荷装置１０６を備え、一端が体重免荷装置１０６に連結されたロープ１０７の他端が機構吊下げ点１０４にフックなどの連結具１０８を介して連結されている。そして、高齢者、要介護者、リハビリ訓練者等の人Ａがズボン等の下衣Ｂの上に装着する人体吊り上げ用の装着具１１０の左右の吊部１１１，１１１がフックなどの連結具１１２，１１２を介して人体吊下げ点１０５，１０５に連結されることにより、当該歩行支援装置を使用する人Ａは、体重免荷装置１０６により、体重負荷が軽減された状態で歩行可能となる。
上述した装着具として、股下が痛くならず、長時間の使用に耐えられるように構成された装着具が知られている（特許文献１参照）。
【先行技術文献】
【特許文献】
【０００３】
【特許文献１】特開２００７−２０２９４６号公報
【発明の概要】
【発明が解決しようとする課題】
【０００４】
しかしながら、上述した装着具は、装着具が下衣の上に露出するため、人が羞恥心を抱いて、使用に抵抗を感じることもあった。
本発明は、上述した課題を解消すべく、歩行支援装置用の装着具としても使用可能な機能を備えるとともに、日常的に着用可能で、使用への抵抗感を少なくしたズボンを提供するものである。
【課題を解決するための手段】
【０００５】
本発明に係るズボンは、伸び率の異なる複数種の生地が縫い合わされて人の腰から脚部にかけて左右の脚部を別々に覆う形状に構成されたズボン本体部と、ズボン本体部と歩行支援装置とを連結するための連結手段とを備え、ズボン本体部は、歩行支援装置の支持力を連結手段を介して人の下半身に伝達する力伝達部位の生地が、その他の部位の生地よりも伸び率の小さい生地で形成され、連結手段は、ズボン本体部のその他の部位の生地よりも伸び率の小さい生地で形成されて力伝達部位に繋がるようにズボン本体部に取付けられたことを特徴とするので、歩行支援装置用の装着具としても使用可能な機能を備えるとともに、日常的に着用可能で、使用への抵抗感を少なくしたズボンを提供できる。特に、通常のズボンと比べて外観の違いを少なくでき、例えば介護必要者が日常生活において装着していても介護用として認識されにくくなるので、介護必要者の羞恥心を取り除けるようになる。
また、力伝達部位が、尻下覆い部であり、連結手段が、ズボン本体部の左側部にズボン本体部の長さ方向に延長するようにズボン本体部及び尻下覆い部の左端側に縫い付けられた左側帯状体と、ズボン本体部の右側部にズボン本体部の長さ方向に延長するようにズボン本体部及び尻下覆い部の右端側に縫い付けられた右側帯状体とを備えたので、伸縮しにくい丈夫な生地により形成された左右の帯状体と尻下覆い部とによって支持力が人の尻下に確実に伝達されるようになるとともに、尻下覆い部は伸びにくいため、尻下覆い部が尻下に食い込みにくくなって、尻下が痛くなりにくくなり、歩行支援装置の長時間の使用に耐えられるズボンを提供できるようになる。
また、ズボン本体部の下腹覆い部及び脚回り部が、ズボン本体部の長さ方向と直交する横方向に伸縮しやすい生地により形成され、かつ、ズボン本体部の尻覆い部が、ズボン本体部の長さ方向に沿った縦方向に伸縮しやすい生地により形成されたので、人の下半身の動きに応じて、ズボン本体部の下腹覆い部及び脚回り部が伸縮しやすくなって、動き易くなるとともに、人の座る動作に応じて、尻覆い部が伸縮しやすくなり、人の着座時の動作が容易なズボンとなる。
また、ズボン本体部を穿いた人の腿回りを締め付けるための締付力を調整可能な締付力調整手段を備えたので、歩行支援装置用の装着具としても使用可能な機能を備えるとともに、日常的に着用可能で、使用への抵抗感を少なくしたズボンを提供できる。
また、締付力調整手段は、ズボン本体部の左側部においてズボン本体部の脚回り部の周方向に所定間隔を隔てて設けられた一対の紐通し穴付き縦ベルト部と、ズボン本体部の右側部においてズボン本体部の脚回り部の周方向に所定間隔を隔てて設けられた一対の紐通し穴付き縦ベルト部と、一対の紐通し穴付き縦ベルト部の紐通し穴に通された紐と、一対の紐通し穴付き縦ベルト部の紐通し穴に通された紐の両端側を固定する紐固定具とを備えて構成され、連結手段は、一対の紐通し穴付き縦ベルト部のうちのいずれか一方により構成されたので、ズボン本体部を穿いた人の腿の太さに合わせて、紐の引張り具合を調整することにより、ズボン本体部を穿いた人の腿回りを締め付けるための締付力を簡単に調整できるとともに、連結手段により支持力が尻下覆い部等の力伝達部位に確実に伝達されるようになる。
【図面の簡単な説明】
【０００６】
【図１】（ａ）はズボンの正面図、（ｂ）はズボンの背面図。
【図２】ズボンを穿いた人を前側から見た図。
【図３】ズボンを穿いた人を後側から見た図。
【図４】ズボンを穿いた人を右横側から見た図。
【図５】歩行支援装置の一例を示す図。
【発明を実施するための形態】
【０００７】
実施形態１
実施形態１のズボン１は、図１乃至図４に示すように、例えば、歩行支援装置の一例としての体重免荷式の歩行支援装置（例えば図５参照）の装着具としても使用可能な機能を備えたズボンであって、伸び率の異なる複数種の生地が縫い合わされて人Ａの腰から脚部にかけて左右の脚部を別々に覆う形状に構成されたズボン本体部２と、ズボン本体部２と体重免荷式の歩行支援装置の人体吊下げ点とを連結するための連結手段と、ズボン本体部２を穿いた人Ａの腿回りを締め付けるための締付力を調整可能な締付力調整手段３とを備えている。
【０００８】
ズボン本体部２は、人Ａの腰から脚部にかけて左右の脚部を別々に包む形で下半身に穿く一般的な通常のズボンと同じ機能を有した下衣（下半身に着る服）であり、人Ａの腰の周囲Ａ１を覆う腰回り部２１と、人Ａの下腹Ａ２を覆う下腹覆い部２２と、人Ａの脚Ａ３の周囲を覆う脚回り部２３と、人Ａの尻Ａ４を覆う尻覆い部２４と、脚回り部２３と尻覆い部２４との境界部分に位置される尻下覆い部２５とを備える。
脚回り部２３は、人Ａの腿（大腿部）Ａ５の周囲を覆う腿回り部２３ａと、人Ａの脛（下腿部）Ａ６の周囲を覆う脛回り部２３ｂとを備える。
【０００９】
ズボン本体部２は、伸び率の異なる複数種の生地を縫い合わせて構成される。
ズボン本体部２は、例えば、伸び率の異なる複数種類のデニム（denim）を縫い合わせて形成された所謂ジーンズに構成される。
図１に示すように、ズボン本体部２において、腰回り部２１、下腹覆い部２２、脚回り部２３は、矢印Ａで示すように、ズボン本体部２の長さ方向と直交する横方向に伸縮しやすいデニム（生地）が使用され、尻覆い部２４は、矢印Ｂで示すように、ズボン本体部２の長さ方向に沿った縦方向に伸縮しやすいデニム（生地）が使用されている。尚、図１では、後述する紐３４、紐固定具３５の図示を省略している。
そして、図１においてハッチングで示すように、ズボン本体部２の尻下覆い部２５、及び、後述する一対（前後）の紐通し穴付き縦ベルト部３１，３２は、縦方向及び横方向の伸び率が、腰回り部２１、下腹覆い部２２、脚回り部２３、尻覆い部２４を形成するデニムよりも伸び率の小さいデニム、即ち、伸縮し難いデニムが使用されている。
即ち、ズボン本体部２は、歩行支援装置による吊上げ力及び支持力を上述した連結手段を介して人Ａの下半身に伝達する力伝達部位となる尻下覆い部２５の生地が、その他の部位となる腰回り部２１、下腹覆い部２２、脚回り部２３、尻覆い部２４の生地よりも伸び率の小さい生地で形成され、かつ、連結手段は、ズボン本体部２のその他の部位の生地よりも伸び率の小さい生地で形成されて力伝達部位となる尻下覆い部２５に繋がるようにズボン本体部２に縫い付けられている。
連結手段は、例えば、ズボン本体部２の左側部にズボン本体部２の長さ方向に延長するようにズボン本体部２及び尻下覆い部２５の左端側に縫い付けられた左側帯状体としての後述する後側の紐通し穴付き縦ベルト部３２と、ズボン本体部２の右側部にズボン本体部２の長さ方向に延長するようにズボン本体部２及び尻下覆い部２５の右端側に縫い付けられた右側帯状体としての後述する後側の紐通し穴付き縦ベルト部３２とを備え、これら連結手段として機能する後側の紐通し穴付き縦ベルト部３２，３２の上端側に着脱不能又は着脱可能に取付けられた溶接リング（丸環）等の連結部３６，３６と体重免荷式の歩行支援装置の人体吊下げ点とが連結されることによって、当該ズボン１を穿いた人Ａは、体重免荷装置により、体重負荷が軽減された状態で歩行可能となる。
【００１０】
尚、伸び率は、例えば、「ＪＩＳ  Ｌ  １０９６  織物及び編物の生地試験方法」に基づくＢ法（織物の定荷重法）で求められる伸び率である。即ち、幅５０ｍｍ、長さ３００ｍｍの試験片をたて方向及びよこ方向に３枚ずつ調整し、全幅をつかむように引張試験機又はこれと同等の性能を持つ装置にセットした後、２００ｍｍ間隔（Ｌ０）に印を付けて１４．７Ｎの荷重を加えることによって、１分間保持後の印間の長さ（Ｌ１）を測定し、この測定した値を用いて次式（１）によって求められる伸び率（％）である。
伸び率（％）＝{(Ｌ１−Ｌ０)／Ｌ０}×１００…（１）
【００１１】
締付力調整手段３は、右腿部締付力調整手段３Ａと左腿部締付力調整手段３Ｂとを備える。
図４に示すように、右腿部締付力調整手段３Ａは、ズボン本体部２の腰回り部２１の右側部から腿回り部２３ａの右側部にかけて延長するように設けられた前後の紐通し穴付き縦ベルト部３１，３２と、当該前後の紐通し穴付き縦ベルト部３１，３２の紐通し穴３３，３３…に、下から上方向に交互に通された紐３４と、締め付けた紐３４の両方の端部３４ａ，３４ａ側を固定するコードストッパー等の紐固定具３５とを備えて構成される。
同様に、図２に示すように、左腿部締付力調整手段３Ｂは、ズボン本体部２の腰回り部２１の左側部から腿回り部２３ａの左側部にかけて延長するように設けられた前後の紐通し穴付き縦ベルト部３１，３２と、当該前後の紐通し穴付き縦ベルト部３１，３２の紐通し穴３３，３３…に、下から上方向に交互に通された紐３４と、締め付けた紐３４の両方の端部３４ａ，３４ａ側を固定するコードストッパー等の紐固定具３５とを備えて構成される。
【００１２】
ズボン本体部２の左右にそれぞれ設けられた、前後の紐通し穴付き縦ベルト部３１，３２は、腰回り部２１から腿回り部２３ａの膝上位置まで延長するように、それぞれ、ズボン本体部２の左右の側部に縫い付けられている。
図４に示すように、前側の紐通し穴付き縦ベルト部３１と後側の紐通し穴付き縦ベルト部３２とがズボン本体部２の脚回り部２３の周方向（図４に示す前後方向）に所定間隔を隔てて設けられ、前側の紐通し穴付き縦ベルト部３１の一方の長辺縁側及び上端縁側がズボン本体部２の側部の前側寄りの部分に縫い付けられるとともに、後側の紐通し穴付き縦ベルト部３２の一方の長辺縁側及び上端縁側がズボン本体部２の側部の後側寄りの部分に縫い付けられることにより、前側の紐通し穴付き縦ベルト部３１の縫い付けられていない他方の長辺縁と後側の紐通し穴付き縦ベルト部３２の縫い付けられていない他方の長辺縁とが互いに向かい合うように位置される。
このようにズボン本体部２に縫い付けられた前後の紐通し穴付き縦ベルト部３１，３２の間に存在するズボン本体部２の側部の生地は、腿回り部２３ａの一部、及び、下腹覆い部２２と尻覆い部２４との境界部を形成し、これら腿回り部２３ａ、下腹覆い部２２、尻覆い部２４と同様の横方向に伸縮しやすいデニムが使用される。
【００１３】
紐通し穴付き縦ベルト部３１，３２には、それぞれ、図１に示すように、例えば、ズボン本体部２の長さ方向（縦方向）に所定の間隔を隔てて５つの紐通し穴３３，３３…が形成されている。
そして、紐３４の一端側から、前側の紐通し穴付き縦ベルト部３１の下から一番目に位置される紐通し穴３３、後側の紐通し穴付き縦ベルト部３２の下から二番目に位置される紐通し穴３３、前側の紐通し穴付き縦ベルト部３１の下から三番目に位置される紐通し穴３３、後側の紐通し穴付き縦ベルト部３２の下から四番目に位置される紐通し穴３３、前側の紐通し穴付き縦ベルト部３１の下から五番目（一番上）に位置される紐通し穴３３に通すとともに、紐３４の他端側から、後側の紐通し穴付き縦ベルト部３２の下から一番目に位置される紐通し穴３３、前側の紐通し穴付き縦ベルト部３１の下から二番目に位置される紐通し穴３３、後側の紐通し穴付き縦ベルト部３２の下から三番目に位置される紐通し穴３３、前側の紐通し穴付き縦ベルト部３１の下から四番目に位置される紐通し穴３３、後側の紐通し穴付き縦ベルト部３２の下から五番目（一番上）に位置される紐通し穴３３に通して、紐３４の両方の端部３４ａ，３４ａ側を引っ張ることにより、前側の紐通し穴付き縦ベルト部３１の縫い付けられていない他方の長辺縁と後側の紐通し穴付き縦ベルト部３２の縫い付けられていない他方の長辺縁とが互いに近付く方向に引っ張られて、腿回り部２３ａが人Ａの腿回りを締め付ける（図４参照）。
当該ズボン１を穿いた人Ａに合った締め付け状態に設定した後、紐３４の両方の端部３４ａ，３４ａ側をコードストッパー等の紐固定具３５で固定することにより、当該締め付け状態が維持される。
つまり、締付力調整手段３は、ズボン本体部２を穿いた人Ａの腿の太さに合わせて、紐３４の引張り具合を調整することにより、ズボン本体部２を穿いた人Ａの腿回りを締め付けるための締付力を簡単に調整できるように構成されている。
【００１４】
そして、ズボン本体部２と体重免荷式の歩行支援装置の人体吊下げ点とを連結するための連結手段として機能する左右の後側の紐通し穴付き縦ベルト部３２，３２の上端側にそれぞれ取付けられた溶接リング（丸環）等の連結部３６，３６と、例えば、図５に示した歩行支援装置の人体吊下げ点とが連結されることにより、当該歩行支援装置を使用する人Ａは、体重免荷装置により、体重負荷が軽減された状態で歩行可能となる。
【００１５】
実施形態１のズボン１では、連結手段として機能する後側の紐通し穴付き縦ベルト部３２、及び、歩行支援装置の吊上げ力及び支持力を連結手段を介して人の下半身に伝達する力伝達部位となるズボン本体部２の尻下覆い部２５の生地が、ズボン本体部２のその他の部位となる腰回り部２１、下腹覆い部２２、脚回り部２３、尻覆い部２４の生地よりも伸び率の小さい生地で形成されて、連結手段として機能する後側の紐通し穴付き縦ベルト部３２の下部側と尻下覆い部２５とが縫い付けられているので、連結部３６，３６が歩行支援装置の人体吊下げ点に連結された場合に、伸縮しにくい丈夫なデニムにより形成された後側の紐通し穴付き縦ベルト部３２と尻下覆い部２５とによって吊上げ力及び支持力が人Ａの尻下に確実に伝達される。また、尻下覆い部２５は伸びにくいため、尻下覆い部２５が尻下に食い込みにくくなって、尻下が痛くなりにくくなり、歩行支援装置の長時間の使用に耐えられるズボン１を提供できるようになる。
また、吊上げ力及び支持力が左右の腿回り部２３ａ，２３ａと尻下覆い部２５とを介して人Ａの腿回りと尻下とに伝達されて、股下に伝達されにくくなるため、股下が痛くならず、歩行支援装置の長時間の使用に耐えられるズボン１を提供できる。
【００１６】
また、実施形態１のズボン１では、ズボン本体部２の下腹覆い部２２及び脚回り部２３が、ズボン本体部２の長さ方向と直交する横方向に伸縮しやすいデニム（生地）により形成されているため、人Ａの下半身の動きに応じて、ズボン本体部２の下腹覆い部２２及び脚回り部２３が伸縮しやすくなり、動き易いズボンとなる。
さらに、実施形態１のズボン１では、ズボン本体部２の尻覆い部２４が、ズボン本体部２の長さ方向に沿った縦方向に伸縮しやすいデニム（生地）により形成されているため、人Ａの座る動作に応じて、尻覆い部２４が伸縮しやすくなり、人Ａの着座時の動作が容易なズボンとなる。
【００１７】
また、実施形態１のズボン１では、通常のズボンに相当するズボン本体部２の右側部に右腿部締付力調整手段３Ａを備えるとともにズボン本体部２の左側部に左腿部締付力調整手段３Ｂを備えた構成であるので、通常のズボンと比べて外観の違いを少なくでき、例えば介護必要者が日常生活において装着していても介護用として認識されにくくなるので、介護必要者の羞恥心を取り除けるようになる。
即ち、体重免荷式の歩行支援装置の人体吊り上げ用の装着具としても使用可能な機能を備えるとともに、日常的に着用可能で、使用への抵抗感を少なくしたズボン１を提供できるようになる。
【００１８】
また、実施形態１のズボン１では、締付力調整手段３、即ち、ズボン本体部２の右側部に右腿部締付力調整手段３Ａを備えるとともにズボン本体部２の左側部に左腿部締付力調整手段３Ｂを備えているので、これら右左の脚部締付力調整手段３Ａ，３Ｂにより、ズボン本体部２を穿いた人Ａの腿回りを締め付けるための締付力を調整することによって、左右の腿回り部２３ａ，２３ａが人Ａの腿Ａ５を締め付けた状態となり、連結部３６，３６が歩行支援装置の人体吊下げ点に連結された場合に、吊上げ力及び支持力が左右の腿回り部２３ａ，２３ａを介して人Ａの腿Ａ５に伝達され、体重免荷装置により、体重負荷が軽減された状態での歩行が可能となるズボン１を提供できる。即ち、体重免荷式の歩行支援装置の人体吊り上げ用の装着具として使用可能な機能を備えたズボン１を提供できる。
【００１９】
さらに、実施形態１のズボン１では、右腿部締付力調整手段３Ａ及び左腿部締付力調整手段３Ｂにおける、前後の紐通し穴付き縦ベルト部３１，３２が、腰回り部２１から腿回り部２３ａの膝上位置まで延長するように設けられているので、右左の脚部締付力調整手段３Ａ，３Ｂで締付力を調整することで左右の腿回り部２３ａ，２３ａが人Ａの腿Ａ５のほぼ全体を締め付けた状態となる。従って、連結部３６，３６が歩行支援装置の人体吊下げ点に連結された場合に、吊上げ力及び支持力が左右の腿回り部２３ａ，２３ａを介して人Ａの腿回りのほぼ全体に伝達されるようになり、吊上げ力及び支持力が人Ａの股下に伝達されにくくなるため、股下が痛くならず、歩行支援装置の長時間の使用に耐えられるズボン１を提供できる。
【００２０】
実施形態２
締付力調整手段は、ズボン本体部２に設けられた空気給排装置であってもよい。
当該空気給排装置は、例えば、ズボン本体部２の左右の側部にそれぞれ設けられた、腰回り部２１から腿回り部２３ａの膝上位置まで延長して空気の給排により横方向に伸縮する空気室を形成する伸縮袋体により形成され、当該伸縮袋体内に空気を充填することによより、空気室が横方向に膨張して左右の腿回り部２３ａ，２３ａが人Ａの腿（大腿部）Ａ５を締め付けるように構成されている。
即ち、実施形態２の締付力調整手段は、上述した伸縮袋体内への空気の充填量を調整することにより、ズボン本体部２を穿いた人Ａの腿回りを締め付けるための締付力を調整可能とした構成である。
【００２１】
実施形態３
締付力調整手段は、ズボン本体部２に設けられた面ファスナーであってもよい。
例えば、腰回り部２１から腿回り部２３ａの膝上位置まで延長するように、ズボン本体部２の左右の側部に縫い付けられた縦ベルト部にフックと呼ばれるかぎ爪状の突起を設けるとともに、当該縦ベルトからズボン本体部２の脚回り部２３の周方向に間隔を隔てた位置にループと呼ばれる起毛部を設けて、フックとループとの結合位置を調整することにより、ズボン本体部２を穿いた人Ａの腿回りを締め付けるための締付力を調整可能とした構成である。
ズボン本体部２の縦方向に間隔を隔てて、ズボン本体部２の脚回り部２３の周方向に延長する複数の横ベルト部にフックを設けるようにしてもよい。
尚、ベルト部にループを設けて、当該ベルトからズボン本体部２の脚回り部２３の周方向に間隔を隔てた位置にフックを設けても良い。
【００２２】
実施形態４
締付力調整手段は、ズボン本体部２に設けられたボタン掛け部であってもよい。
例えば、ズボン本体の縦方向に間隔を隔てて複数のボタンを備えたボタン付き縦ベルト部を腰回り部２１から腿回り部２３ａの膝上位置まで延長するようにズボン本体部２の左右の側部に設けるとともに、ボタン付き縦ベルト部からズボン本体部２の脚回り部２３の周方向に間隔を隔てた複数の位置にボタン掛け孔を設け、ボタンを留めるボタン掛け孔の位置を選択することによって、ズボン本体部２を穿いた人Ａの腿回りを締め付けるための締付力を調整可能とした構成とすればよい。
あるいは、ズボン本体の縦方向に間隔を隔てて複数のボタンを備えたボタン付き縦ベルト部を腰回り部２１から腿回り部２３ａの膝上位置まで延長するようにズボン本体部２の左右の側部に設けるとともに、ボタン付き縦ベルト部の各ボタンからズボン本体部２の脚回り部２３の周方向に所定間隔を隔てた位置にそれぞれボタン掛け孔を設け、ボタン掛け孔に留めるボタンの数によって、ズボン本体部２を穿いた人Ａの腿回りを締め付けるための締付力を調整可能とした構成としてもよい。
尚、ボタンは、ズボン本体部２の縦方向に間隔を隔ててズボン本体部２の脚回り部２３の周方向に延長する複数の横ベルト部に設けるようにしてもよい。
【００２３】
実施形態５
また、実施形態１乃至実施形態４では、締付力調整手段が、ズボン本体部の左右の側部にそれぞれ設けられた構成のズボンを例示したが、締付力調整手段が、例えば、ズボン本体部の左右の腿回り部の前側、又は、ズボン本体部の左右の腿回り部の後側に設けられた構成のズボンであってもよい。即ち、締付力調整手段は、ズボン本体部を穿いた人の腿回りを締め付けるための締付力を調整可能な構成であればよい。
【００２４】
実施形態６
また、実施形態１乃至実施形態５では、ズボン本体部２の腰回り部２１から腿回り部２３ａの膝上位置まで延長するように設けられた締付力調整手段を例示したが、締付力調整手段は、ズボン本体部２を穿いた人の腿回りを締め付けるための締付力を調整可能な構成であればよいので、例えば、腿回り部２３ａにだけ設けられていても良い。
【００２５】
実施形態７
また、実施形態１乃至実施形態６では、締付力調整手段を備えたズボンを例示したが、締付力調整手段を備えていないズボンであってもよい。
例えば、腿回り部２３ａの腿回り寸法の違う複数のズボンを用意しておいて、使用者が自分の腿回りの寸法に合ったズボンを選択するようにしてもよい。
このようなズボンであっても、連結手段を構成する後側の紐通し穴付き縦ベルト部３２、及び、力伝達部位となるズボン本体部２の尻下覆い部２５の生地が、ズボン本体部２のその他の部位となる腰回り部２１、下腹覆い部２２、脚回り部２３、尻覆い部２４の生地よりも伸び率の小さい生地で形成されていて、後側の紐通し穴付き縦ベルト部３２と同様の帯状体の下部側と尻下覆い部２５とが縫い付けられていれば、連結部３６が歩行支援装置の人体吊下げ点に連結された場合に、伸縮しにくい丈夫なデニムにより形成された帯状体と尻下覆い部２５とによって吊上げ力が人Ａの尻下に確実に伝達される。つまり、体重免荷式の歩行支援装置の人体吊り上げ用の装着具としても使用可能な機能を備えるとともに、日常的に着用可能で、使用への抵抗感を少なくしたズボンを提供できるようになる。
尚、実施形態６のズボンにおいては、腿回り部２３ａの一部を尻下覆い部２５と同様の伸び率の小さい頑丈な生地で形成して、人Ａの腿回りに対する締付力が強くなるように構成することが好ましい。
【００２６】
実施形態８
また、力伝達部位を、下腹覆い部２２及び尻覆い部２４としたり、腿回り部２３ａとして、これら力伝達部位の生地が、その他の部位の生地よりも伸び率の小さい生地で形成されたズボン本体部２と、ズボン本体部２のその他の部位の生地よりも伸び率の小さい生地で形成されて力伝達部位に繋がるようにズボン本体部２に縫い付けられた連結手段とを備えたズボンとしてもよい。
この場合、締付力調整手段の後側の紐通し穴付き縦ベルト部３１を連結手段として用いてもよいし、締付力調整手段を備えない構成においては、力伝達部位に繋がるようにズボン本体部２に縫い付けられた連結手段を設けるようにすればよい。
【００２７】
尚、連結手段は、ズボン本体部と力伝達部位とに接着剤等の固定手段で取付けられた構成としてもよい。
また、生地は、デニム以外の生地を用いてもよいことはもちろんである。
また、各図では、ズボンとして長ズボンを例示したが、半ズボンであってもよい。
【００２８】
また、各実施形態においては、ズボン１を体重免荷式の歩行支援装置の装着具として使用する場合を説明したが、本発明のズボン１は、体重免荷機能を備えない歩行支援装置、例えば、所謂一般的な歩行器を使用する際の装着具としても使用可能である。この場合でも、歩行支援装置の支持力を連結手段及び力伝達部位を介して人の下半身に伝達することができるので、歩行支援装置を使用している人が膝落ち等で体勢を崩した場合でも、体重が支えられ、転倒を防止できるようになる。
【符号の説明】
【００２９】
１  ズボン、２  ズボン本体部、３  締付力調整手段、２１  腰回り部、
２２  下腹覆い部、２３  脚回り部、２３ａ  腿回り部、２４  尻覆い部、
２５  尻下覆い部（力伝達部位）、３１  前側の紐通し穴付き縦ベルト部、
３２  後側の紐通し穴付き縦ベルト部（左右の帯状体）、３３  紐通し穴、３４  紐、
３５  紐固定具、Ａ  人。
【図１】
2019056184.tif 000003
【図２】
2019056184.tif 000004
【図３】
2019056184.tif 000005
【図４】
2019056184.tif 000006
【図５】
2019056184.tif 000007